(57)【特許請求の範囲】
【請求項１】
当該画像形成装置を操作するための各操作画面が表示される表示部と、
原稿を読み取って当該原稿の画像を生成する原稿読取部と、
背景画像と、前記原稿読取部によって生成された原稿の画像を当該背景画像に配置する際の配置位置を示す配置情報と、の組み合わせからなるテンプレートを記憶するテンプレート記憶部と、
前記原稿読取部によって生成された原稿の画像をテンプレートが示す配置情報に従って当該テンプレートが示す背景画像に配置した合成画像を生成する合成画像形成部と、
前記テンプレート記憶部に記憶されているテンプレートにおける背景画像のうち、前記合成画像形成部による合成処理の対象として用いる背景画像の選択をユーザーから受け付ける合成対象画像受付部と、
前記テンプレート記憶部に記憶されているテンプレートのうち、背景画像が前記合成対象画像受付部で受け付けられた合成対象の背景画像と近似し、配置情報が互いに異なる複数のテンプレートを検索するテンプレート検索部と、
前記テンプレート検索部により検索された各テンプレートにおける背景画像への合成対象となる原稿を前記原稿読取部に読み取らせる指示の入力を促す原稿読取操作画面を前記表示部に表示する読取操作画面表示制御部と、
前記原稿読取操作画面のユーザーによる操作によって生成された配置対象の原稿の画像を、前記テンプレート検索部により検索された各テンプレートが示す配置情報に従って当該各テンプレートが示す背景画像に配置した合成画像を前記合成画像形成部により生成させた複数の合成画像を前記表示部に表示する合成画像表示制御部と、
前記合成画像表示制御部によって前記表示部に表示された複数の合成画像のうち、出力対象の合成画像の選択をユーザーから受け付ける出力対象画像受付部と、
を備えている画像形成装置。
【請求項２】
前記合成画像表示制御部は、前記複数の合成画像を前記表示部の一画面内に並列して表示する請求項１に記載の画像形成装置。
【請求項３】
前記合成画像表示制御部は、前記複数の合成画像を前記表示部の画面を切り替えて一画面内に一つずつ表示する請求項１に記載の画像形成装置。
【請求項４】
テンプレートを作成する指示を受け付けるテンプレート作成指示受付部と、
前記テンプレート作成指示受付部によってテンプレートを作成する指示が受け付けられると、前記原稿読取部によって生成された原稿の画像をテンプレートにおける背景画像として、当該背景画像に配置対象の原稿の画像を配置する際の配置情報の入力を受け付ける配置情報受付部と、
当該背景画像と、前記配置情報受付部で受け付けられた配置情報と、の組み合わせからなるテンプレートを前記テンプレート記憶部に記憶するテンプレート記憶制御部と、
を更に備えている請求項１から３の何れかに記載の画像形成装置。
【発明の詳細な説明】
【技術分野】
【０００１】
本発明は、テンプレートを用いて背景画像と原稿を読み取って生成された原稿の画像とが合成された合成画像を出力処理する画像形成装置に関する。
【背景技術】
【０００２】
従来から、スキャナー等の画像読取装置が原稿を読み取ることで生成した原稿の画像を処理する画像形成装置が用いられており、例えば、スキャナー自身や、スキャナーによって読み取られた原稿の画像を処理する複写機、ファクシミリ及びこれらの複合機等が用いられている。
【０００３】
ここで、例えば、会員登録を行う場合等、身分証明として使用する免許証等の原稿を読み取って生成した原稿の画像を所定用紙の予め定められた箇所に配置して出力する場合、当該所定用紙を給紙カセットに給紙する作業を行った後、当該所定用紙を出力用紙として指定する操作を行う、また、読み取り対象の原稿の表裏の何れの面を読み取るかを指定する操作を行った後、当該指定した原稿面を読み取らせる操作を行う等、出力するまでに煩わしい準備の操作を行う必要があった。
【０００４】
そこで、例えば、下記特許文献１には、読取部で読み取られた原稿の画像を、ユーザーによって指定されたフォームデータにおける予め定められた位置に配置して、原稿の画像とフォームデータとの合成データを出力する技術が開示されている。また、下記特許文献２には、出力用紙のテンプレート上に入力画像（原稿の表面及び裏面の画像）のテンプレートを配置することによって出力形態を指定した後、当該指定された出力形態に従って編集した画像を出力する技術が開示されている。
【先行技術文献】
【特許文献】
【０００５】
【特許文献１】特開２００９−１４１４２７号公報
【特許文献２】特開２００７−１１０３９２号公報
【発明の概要】
【発明が解決しようとする課題】
【０００６】
しかしながら、上記の従来技術を適用することによって、指定されたテンプレート（フォームデータ、出力用紙）において予め定められている、合成処理の対象として用いる原稿の画像の配置情報に従って、原稿を読み取って生成した画像がテンプレートにおける背景画像に配置された合成画像を出力することができるため、上記の準備の操作の煩わしさが軽減されるものの、例えば、原稿の表面と裏面とを誤って読み取らせる、或いはテンプレートの指定を誤る等して、所望の合成画像とは異なる合成画像を誤って生成した場合であっても、当該合成画像が出力されるまで所望の合成画像とは異なる合成画像を生成したことに気づくことができなかった。このため、合成画像の出力に関わるトナーや出力用紙等の資源や出力に要する時間を無駄に消費する虞があった。
【０００７】
そこで、本発明は、このような事情に鑑みてなされたものであり、所望のテンプレートの指定操作、及び、指定したテンプレートにおいて予め定められた配置情報に従って原稿を読み取らせる操作を誤って行った場合であっても、当該誤操作に早急に気づくことができ、所望の合成画像を効率よく出力することができる画像形成装置を提供することを目的とする。
【課題を解決するための手段】
【０００８】
請求項１に記載の発明は、当該画像形成装置を操作するための各操作画面が表示される表示部と、
原稿を読み取って当該原稿の画像を生成する原稿読取部と、
背景画像と、前記原稿読取部によって生成された原稿の画像を当該背景画像に配置する際の配置位置を示す配置情報と、の組み合わせからなるテンプレートを記憶するテンプレート記憶部と、
前記原稿読取部によって生成された原稿の画像をテンプレートが示す配置情報に従って当該テンプレートが示す背景画像に配置した合成画像を生成する合成画像形成部と、
前記テンプレート記憶部に記憶されているテンプレートにおける背景画像のうち、前記合成画像形成部による合成処理の対象として用いる背景画像の選択をユーザーから受け付ける合成対象画像受付部と、
前記テンプレート記憶部に記憶されているテンプレートのうち、背景画像が前記合成対象画像受付部で受け付けられた合成対象の背景画像と近似し、配置情報が互いに異なる複数のテンプレートを検索するテンプレート検索部と、
前記テンプレート検索部により検索された各テンプレートにおける背景画像への合成対象となる原稿を前記原稿読取部に読み取らせる指示の入力を促す原稿読取操作画面を前記表示部に表示する読取操作画面表示制御部と、
前記原稿読取操作画面のユーザーによる操作によって生成された配置対象の原稿の画像を、前記テンプレート検索部により検索された各テンプレートが示す配置情報に従って当該各テンプレートが示す背景画像に配置した合成画像を前記合成画像形成部により生成させた複数の合成画像を前記表示部に表示する合成画像表示制御部と、
前記合成画像表示制御部によって前記表示部に表示された複数の合成画像のうち、出力対象の合成画像の選択をユーザーから受け付ける出力対象画像受付部と、
を備えている画像形成装置である。
【０００９】
この発明によれば、背景画像が予め指定された背景画像と近似し、配置情報が互いに異なる複数のテンプレートを用いて合成された複数の合成画像が合成画像表示制御部によって表示部に表示される。そして、当該表示された複数の合成画像のうち、出力対象の合成画像のユーザーからの選択が出力対象画像受付部によって受け付けられる。
【００１０】
このため、ユーザーは、所望のテンプレートの指定操作、及び、指定したテンプレートにおいて予め定められた配置情報に従って原稿を読み取らせる操作を誤って行った場合であっても、合成画像の出力前に表示部を目視することによって、所望の合成画像が表示されているか否かを判断して、当該誤操作に早急に気づくことができる。
【００１１】
また、ユーザーは、合成画像を出力する前に表示部に表示された合成画像の中から出力対象の合成画像を選択することができるため、合成画像の出力に関わるトナーや出力用紙等の資源や出力に要する時間を無駄に消費することなく、当該選択した出力対象の合成画像のみを効率よく出力することができる。
【００１２】
また、請求項２に記載の発明は、請求項１に記載の画像形成装置であって、前記合成画像表示制御部は、前記複数の合成画像を前記表示部の一画面内に並列して表示する。
【００１３】
この発明によれば、複数の合成画像が表示部の一画面内に並列して表示されるため、複数の合成画像を同時に目視することができ、複数の合成画像が表示部の画面を切り替えて一画面内に一つずつ表示される場合に比して、複数の合成画像間の差異を容易に把握することができる。このため、複数の合成画像の中から所望の合成画像を選択する効率を向上することができる。
【００１４】
また、請求項３に記載の発明は、請求項１に記載の画像読取装置であって、前記合成画像表示制御部は、前記複数の合成画像を前記表示部の画面を切り替えて一画面内に一つずつ表示する。
【００１５】
この発明によれば、表示部の表示領域が小さく構成されている場合であっても、複数の合成画像が表示部の画面を切り替えて一画面内に一つずつ表示され、各合成画像の視認性が高まるため、複数の合成画像が表示部の一画面内に並列して表示されるときに比して、各合成画像の細部まで把握することができ、複数の合成画像の中から所望の合成画像を適切に選択することができる。
【００１６】
請求項４に記載の発明は、請求項１から３の何れかに記載の画像形成装置であって、テンプレートを作成する指示を受け付けるテンプレート作成指示受付部と、
前記テンプレート作成指示受付部によってテンプレートを作成する指示が受け付けられると、前記原稿読取部によって生成された原稿の画像をテンプレートにおける背景画像として、当該背景画像に配置対象の原稿の画像を配置する際の配置情報の入力を受け付ける配置情報受付部と、
当該背景画像と、前記配置情報受付部で受け付けられた配置情報と、の組み合わせからなるテンプレートを前記テンプレート記憶部に記憶するテンプレート記憶制御部と、
を更に備えている。
【００１７】
この発明によれば、テンプレート作成指示受付部によってテンプレートを作成する指示が受け付けられると、原稿読取部によって生成された原稿の画像と、配置情報受付部によって受け付けられた配置情報との組み合わせからなるテンプレートがテンプレート記憶部に記憶される。
【００１８】
つまり、所望の合成画像を出力可能なテンプレートを新たに作成してテンプレート記憶部に記憶することができるため、テンプレート記憶部に記憶されている既存のテンプレートを用いて所望の合成画像を出力することができない場合であっても、新たにテンプレートを作成し、当該作成したテンプレートを用いて所望の合成画像を適切に出力することができる。
【発明の効果】
【００１９】
本発明によれば、所望のテンプレートの指定操作、及び、指定したテンプレートにおいて予め定められた配置情報に従って原稿を読み取らせる操作を誤って行った場合であっても、当該誤操作に早急に気づくことができ、所望の合成画像を効率よく出力することができる画像形成装置を提供することが可能になる。
【図面の簡単な説明】
【００２０】
【図１】本発明に係る画像形成装置の一例としての複写機の概略構成図。
【図２】複写機の電気的な構成の一例を示すブロック図。
【図３】テンプレートの一例を示す説明図。
【図４】表示部の一例を示す説明図。
【図５】合成画像を出力する処理の一例を示すフローチャート。
【図６】複写機に接続される表示ユニットの一例を示す概略構成図。
【図７】表示部の図４とは別の一例を示す説明図。
【図８】テンプレートを作成してテンプレート記憶部に記憶する処理の一例を示すフローチャート。
【発明を実施するための形態】
【００２１】
以下、本発明に係る画像形成装置の一例としての複写機について図面を参照して説明する。図１に示すように、複写機１は、本体部２と、本体部２の左方に配設されたスタックトレイ３と、本体部２の上部に配設された原稿読取部５と、原稿読取部５の上方に配設された原稿給送部６とを備えている。
【００２２】
また、複写機１のフロント部には、ユーザーが印刷実行指示を入力するためのスタートキー４７１と、印刷部数等を入力するためのテンキー４７２と、各種複写動作の設定等を入力するための操作ガイド情報等を表示すると共に、各種操作指令を入力するための種々の操作ボタン等が表示される液晶ディスプレイ等からなる表示部４７３とを備えて構成される操作部４７が設けられている。この操作部４７において、後述する背景画像の選択や、原稿の読み取り実行指示や、出力対象の合成画像の選択等の入力操作が行われる。
【００２３】
原稿読取部５は、ＣＣＤ(Charge Coupled Device)センサ及び露光ランプ等からなるスキャナー５１と、ガラス等の透明部材により構成された原稿台５２及び原稿読取スリット５３とを備える。
【００２４】
スキャナー５１は、図略の駆動部によって移動可能に構成され、原稿台５２に載置された原稿を読み取る場合には、原稿台５２に対向する位置に移動され、原稿を走査しつつ取得した原稿の画像を示す画像データを後述する制御部１０へ出力する。
【００２５】
また、スキャナー５１は、原稿給送部６により搬送された原稿を読み取る場合には原稿読取スリット５３と対向する位置に移動され、原稿読取スリット５３を介して原稿給送部６による原稿の搬送動作と同期して原稿の画像を示す画像データを取得し、当該画像データを後述する制御部１０（或いは、画像メモリー７又は画像処理部９）へ出力する。
【００２６】
原稿給送部６は、原稿を載置するための原稿載置部６１と、画像読み取り後の原稿を排出するための原稿排出部６２と、原稿載置部６１に載置された原稿を１枚ずつ順に繰り出して上記原稿読取スリット５３に対向する位置へ搬送し、原稿排出部６２へ排出するための給紙ローラー及び搬送ローラー等からなる原稿搬送機構６３を備える。
【００２７】
また、原稿給送部６は可倒式に構成されており、原稿台５２の上面を開放するように上方に持ち上げることにより、原稿台５２の上面に、読み取り原稿、例えば見開き状態にされた書籍等を載置することが可能に構成されている。
【００２８】
本体部２は、それぞれサイズが異なる記録紙を収納する複数の給紙カセット４６１と、本体部２の右方の側壁に開閉自在に設けられた、記録紙を載置するための手差しトレイ４６７と、給紙カセット４６１及び手差しトレイ４６７から搬送されてきた記録紙に画像を形成する記録部４０と、給紙カセット４６１及び手差しトレイ４６７から記録紙を１枚ずつ繰り出して記録部４０へ搬送する給紙ローラー４６２とを備えている。
【００２９】
記録部４０は、スキャナー５１で取得された画像データに基づいてレーザー光を出力して感光体ドラム４３を露光し、当該感光体ドラム４３の表面に静電潜像を形成する光学ユニット４２と、上記静電潜像に基づいて感光体ドラム４３上にトナー像を形成する画像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラー等によって記録紙を搬送してスタックトレイ３又は排出トレイ４８へ排出する用紙搬送装置４６と、を備えている。
【００３０】
用紙搬送装置４６は、読み取った原稿の記録紙に対する両面印刷を行うための用紙搬送路４６３、４６４を含んでいる。
【００３１】
両面印刷が行われる場合、給紙カセット４６１及び手差しトレイ４６７から繰り出された記録紙は、転写部４１及び定着部４５まで搬送されてその片面が印刷され、その後、搬送ローラー４６５の位置まで搬送される。搬送ローラー４６５は、搬送されてきた記録紙が排出トレイ４８に排出される前に逆回転して当該記録紙を用紙搬送路４６３に搬送する。用紙搬送路４６３に搬送された記録紙は、搬送ローラー４６６によって用紙搬送路４６４に搬送される。用紙搬送路４６４に搬送された記録紙は、その裏表が反転した状態となり、再び転写部４１及び定着部４５に搬送され、上記印刷した面と反対の面が印刷される。このようにして両面印刷が行われた記録紙は、スタックトレイ３又は排出トレイ４８へ排出される。
【００３２】
次に、複写機１の電気的構成の一例について説明する。図２に示すように、複写機１には、装置全体の動作制御を司る制御部１０が備えられている。制御部１０は、画像メモリー７、ＨＤＤ８、スキャナー５１等からなる原稿読取部５、原稿搬送機構６３等からなる原稿給送部６、画像形成部４４等からなる記録部４０、画像処理部９、テンキー４７２や表示部４７３等からなる操作部４７、及び、液晶ディスプレイ等の外部の装置を接続するための外部インターフェイス１１と、ＣＰＵバスを介して接続され、互いにデータ又は信号の送受信が可能とされている。
【００３３】
画像メモリー７は、原稿読取部５によって生成された原稿の画像を示す画像データを一時的に記憶するメモリーである。
【００３４】
ＨＤＤ（Hard Disk Drive）８は、印刷の対象とする文書データ又は後述する画像処理部９で画像処理が施された画像データ等の各種出力データを記憶する記憶装置であり、記憶領域の一部は、テンプレート記憶部８１として機能する。
【００３５】
テンプレート記憶部８１は、背景画像と原稿読取部５によって生成された原稿の画像を当該背景画像に配置する際の配置位置を示す配置情報との組み合わせからなるテンプレートを記憶する。
【００３６】
例えば、テンプレート記憶部８１には、図３（ａ）に示すように、会員ＩＤや住所、電話、及び氏名等の各種情報を記載するための入力欄と、原稿読取部５によって免許証等の身分証明書を原稿として読み取った画像を配置する領域（配置領域）とで構成された背景画像Ｂ１と、図３（ｂ）に示すように、当該背景画像Ｂ１における配置領域に、原稿読取部５によって原稿の表面を読み取った画像を左側に配置し、原稿読取部５によって原稿の裏面を読み取った画像を右側に配置することを定めた配置情報Ｌ１１と、を組み合わせたテンプレートＴ１１が記憶されている。
【００３７】
同様にして、テンプレート記憶部８１には、背景画像Ｂ１と、当該背景画像Ｂ１における配置領域に、原稿読取部５によって原稿の表面を読み取った画像を上側に配置し、原稿読取部５によって原稿の裏面を読み取った画像を下側に配置することを定めた配置情報Ｌ１２との組み合わせからなるテンプレートＴ１２が記憶されている。
【００３８】
また、テンプレート記憶部８１には、入力欄と配置領域の位置が背景画像Ｂ１とは上下反対にして構成された背景画像Ｂ２と、当該背景画像Ｂ２における配置領域に、原稿読取部５によって原稿の表面を読み取った画像を左側に配置し、原稿読取部５によって原稿の裏面を読み取った画像を右側に配置することを定めた配置情報Ｌ２１との組み合わせからなるテンプレートＴ２１が記憶されている。
【００３９】
同様にして、テンプレート記憶部８１には、背景画像Ｂ２と、当該背景画像Ｂ２における配置領域に、原稿読取部５によって原稿の表面を読み取った画像を上側に配置し、原稿読取部５によって原稿の裏面を読み取った画像を下側に配置することを定めた配置情報Ｌ２２との組み合わせからなるテンプレートＴ２２が記憶されている。
【００４０】
尚、配置情報Ｌ１１，Ｌ１２，Ｌ２１，Ｌ２２は、原稿の両面を読み取った各画像を配置領域に配置することと、当該原稿の両面を読み取った各画像を配置する際の各画像のサイズと、背景画像Ｂ１，Ｂ２における各配置領域の左上端の座標を基準にした、配置対象の各画像の左上端の相対座標を含んで構成されている。ただし、配置情報Ｌ１１，Ｌ１２，Ｌ２１，Ｌ２２の構成をこれに限定する趣旨ではない。また、背景画像は、具体的には、背景画像を示す画像データと当該画像データを識別するための識別情報とを組み合わせて構成されている。
【００４１】
画像処理部９は、画像メモリー７に記憶されている画像データに対して所定の画像処理を行うものである。具体的には、画像処理部９は、原稿読取部５によって生成された原稿の画像を、テンプレート記憶部８１に記憶されているテンプレートが示す配置情報に従って当該テンプレートが示す背景画像に配置した合成画像を生成する合成画像形成部９１として機能する。
【００４２】
制御部１０は、複写機１の制御プログラムを記憶するＲＯＭ（Read Only Memory）、一時的にデータを保管するＲＡＭ（Random Access Memory）、及び制御プログラム等を上記ＲＯＭから読み出して実行するマイクロコンピューター等からなり、操作部４７等において入力された所定の指示情報等に応じて装置全体の制御を行う。
【００４３】
具体的には、制御部１０は、合成対象画像受付部１０１、テンプレート検索部１０２、読取操作画面表示制御部１０３、合成画像表示制御部１０４及び出力対象画像受付部１０５として機能する。尚、図中の点線部に示すテンプレート作成指示受付部１０６、配置情報受付部１０７、及びテンプレート記憶制御部１０８については、別実施形態として後述する。
【００４４】
合成対象画像受付部１０１は、制御部１０によって表示部４７３に表示されたテンプレート記憶部８１に記憶されているテンプレートにおける背景画像のうち、ユーザーによって操作部４７を介して選択された背景画像を合成画像形成部９１による合成処理の対象として用いる背景画像として受け付ける。
【００４５】
テンプレート検索部１０２は、テンプレート記憶部８１に記憶されているテンプレートのうち、背景画像が合成対象画像受付部１０１で受け付けられた合成対象の背景画像と近似し、配置情報が互いに異なる複数のテンプレートを検索する。
【００４６】
具体的には、テンプレート検索部１０２は、テンプレート記憶部８１に記憶されているテンプレートのうち、合成対象画像受付部１０１で受け付けられた合成対象の背景画像の識別情報と一致する背景画像の識別情報を有するテンプレートを取得して、当該取得したテンプレートをＲＡＭに記憶する。
【００４７】
尚、テンプレート記憶部８１には、背景画像の一部のみが異なり、画像全体としては近似する複数の背景画像（例えば、図３における背景画像Ｂ１と、背景画像Ｂ１における入力欄の「ＩＤ（大文字）」の記載が「id（小文字）」である図略の背景画像）をそれぞれ有するテンプレートを記憶する場合に、当該テンプレートにおける背景画像の識別情報を同一にして（上記の例では、両者とも背景画像の識別情報をＢ１にして）記憶されている。このため、テンプレート検索部１０２によって、背景画像が合成対象画像受付部１０１で受け付けられた合成対象の背景画像に一致する背景画像を有するテンプレートが検索されると、合成対象画像受付部１０１で受け付けられた合成対象の背景画像に近似する背景画像を有するテンプレートが検索される。
【００４８】
ただし、テンプレート検索部１０２が、テンプレート記憶部８１に記憶されているテンプレートのうち、背景画像が合成対象画像受付部１０１で受け付けられた合成対象の背景画像と近似し、配置情報が互いに異なる複数のテンプレートを検索する方法を上記に限定する趣旨ではない。
【００４９】
例えば、テンプレート検索部１０２は、合成対象画像受付部１０１で受け付けられた合成対象の背景画像の画像データが示す濃度値とテンプレート記憶部８１に記憶されているテンプレートの背景画像の画像データが示す濃度値とを比較して、背景画像の全画素数に対する濃度値が一致する画素数の割合が、予め定められた近似判定閾値よりも大きい背景画像を有するテンプレートを取得するように構成してもよい。
【００５０】
読取操作画面表示制御部１０３は、テンプレート検索部１０２により検索された各テンプレートにおける背景画像への合成対象となる原稿を原稿読取部５に読み取らせる指示の入力を促す原稿読取操作画面を表示部４７３に表示する。
【００５１】
合成画像表示制御部１０４は、原稿読取操作画面のユーザーによる操作によって生成された配置対象の原稿の画像を、テンプレート検索部１０２により検索された各テンプレートが示す配置情報に従って当該各テンプレートが示す背景画像に配置した合成画像を生成する指示を合成画像形成部９１に送出し、当該指示に従って合成画像形成部９１によって生成された複数の合成画像を表示部４７３に表示する。
【００５２】
出力対象画像受付部１０５は、合成画像表示制御部１０４によって表示部４７３に表示された複数の合成画像のうち、ユーザーによって操作部４７を介して選択された合成画像を出力対象の合成画像として受け付ける。
【００５３】
例えば、図４（ａ）に示すように、制御部１０によって表示部４７３にテンプレート記憶部８１に記憶されているテンプレートＴ１１，Ｔ１２，Ｔ２１，Ｔ２２の背景画像Ｂ１，Ｂ２が表示され、図中の網掛部に示すように、ユーザーによって操作部４７を介して選択された背景画像Ｂ１が合成対象の背景画像として合成対象画像受付部１０１によって受け付けられると、テンプレート検索部１０２は、テンプレート記憶部８１に記憶されているテンプレートのうち、当該選択された背景画像Ｂ１の識別情報と一致する背景画像の識別情報を有するテンプレートＴ１１，Ｔ１２を取得する。
【００５４】
読取操作画面表示制御部１０３は、テンプレート検索部１０２により検索されたテンプレートＴ１１，Ｔ１２における配置情報Ｌ１１，Ｌ１２が示すように、原稿の表面と裏面の両面を原稿読取部５に読み取らせるべく、原稿の表面を読み取らせる指示の入力を促す原稿読取操作画面と、原稿の裏面を読み取らせる指示の入力を促す原稿読取操作画面と、を順次切り替えて表示部４７３に表示する。
【００５５】
そして、図４（ｂ）に示すように、合成画像表示制御部１０４は、各原稿読取操作画面のユーザーによる入力操作に従って生成された配置対象の原稿の画像を、テンプレートＴ１１，Ｔ１２が示す配置情報Ｌ１１，Ｌ１２に従ってテンプレートＴ１１，Ｔ１２が示す背景画像Ｂ１に配置した合成画像を合成画像形成部９１に生成する指示を送出し、当該生成された複数の合成画像Ｖ１１，Ｖ１２を表示部４７３の一画面内に並列して表示する。
【００５６】
そして、図中の網掛部に示すように、ユーザーによって操作部４７を介して合成画像Ｖ１１が選択されると、出力対象画像受付部１０５は、当該選択された合成画像Ｖ１１を出力対象の合成画像として受け付け、当該合成画像Ｖ１１を記録紙に印刷する指示を記録部４０に送出する。
【００５７】
以下では、上記の構成において合成画像を出力する処理について、図５に示すフローチャート、図３に示すテンプレートの一例、及び図４に示す表示部４７３の一例に基づいて説明する。
【００５８】
ユーザーによって操作部４７を介して入力された合成画像を出力する処理の実行指示が制御部１０によって受け付けられると（Ｓ１）、制御部１０は、テンプレート記憶部８１に記憶されているテンプレートＴ１１，Ｔ１２，Ｔ２１，Ｔ２２の背景画像Ｂ１，Ｂ２を表示部４７３に表示する（図４（ａ）参照、Ｓ２）。
【００５９】
次に、ユーザーによって操作部４７を介して背景画像Ｂ１が選択され、合成対象画像受付部１０１によって当該選択された背景画像Ｂ１が合成対象の背景画像として受け付けられると（Ｓ３；ＹＥＳ）、テンプレート検索部１０２は、テンプレート記憶部８１に記憶されているテンプレートのうち、背景画像が当該選択された背景画像Ｂ１に近似し、配置情報が互いに異なるテンプレートを検索して、テンプレートＴ１１，Ｔ１２を取得する（Ｓ４）。
【００６０】
次に、読取操作画面表示制御部１０３は、当該取得されたテンプレートＴ１１，Ｔ１２における配置情報Ｌ１１，Ｌ１２が示すように、原稿の表面と裏面の両面を原稿読取部５に読み取らせるべく、原稿の表面を読み取らせる指示の入力を促す原稿読取操作画面と、原稿の裏面を読み取らせる指示の入力を促す原稿読取操作画面と、を順次切り替えて表示部４７３に表示する（Ｓ５）。
【００６１】
次に、各原稿読取操作画面のユーザーによる操作に従って、原稿読取部５による原稿の両面を読み取る処理が完了すると（Ｓ６；ＹＥＳ）、合成画像表示制御部１０４は、ステップＳ４で取得したテンプレートＴ１１，Ｔ１２を用いて、ステップＳ６で原稿読取部５によって生成された原稿の画像を合成するように合成画像形成部９１に指示を送出し、合成画像形成部９１は当該指示に従って合成画像Ｖ１１，Ｖ１２を形成して画像メモリー７に記憶する（Ｓ７）。そして、合成画像表示制御部１０４は、ステップＳ７で画像メモリー７に記憶された合成画像Ｖ１１，Ｖ１２を表示部４７３の一画面内に並列して表示する（Ｓ８）。
【００６２】
次に、ユーザーによって操作部４７を介して合成画像Ｖ１１が選択されると、出力対象画像受付部１０５は、当該選択された合成画像Ｖ１１を出力対象の合成画像として受け付け（Ｓ９；ＹＥＳ）、当該合成画像Ｖ１１を記録紙に印刷する指示を記録部４０に送出し、当該指示に従って記録部４０によって合成画像Ｖ１１が記録紙に印刷出力されると（Ｓ１０）、制御部１０は合成画像を出力する処理を終了する。
【００６３】
このように、本構成によれば、ユーザーは、表示部４７３を目視することによって、所望の合成画像が表示されているか否かを判断して、背景画像の選択の操作や配置対象の画像の読み取り指示を入力するための操作を誤って行ってしまったか否かについて、早急に気づくことができる。
【００６４】
また、ユーザーは、合成画像を出力する前に表示部４７３に表示された合成画像の中から出力対象の合成画像を選択することができるため、合成画像の出力に関わるトナーや出力用紙等の資源や出力に要する時間を無駄に消費することなく、当該選択した出力対象の合成画像のみを効率よく出力することができる。
【００６５】
また、複数の合成画像が表示部４７３の一画面内に並列して表示されるため、複数の合成画像を同時に目視することができ、複数の合成画像が表示部４７３の画面を切り替えて一画面内に一つずつ表示される場合に比して、複数の合成画像間の差異を容易に把握することができる。このため、複数の合成画像の中から所望の合成画像を選択する効率を向上することができる。
【００６６】
尚、本発明は上記の実施形態の構成に限られず種々の変形が可能である。例えば、表示部４７３は、図６に示すように、外部インターフェイス１１を介して接続された、当該複写機１における表示領域よりも大きな表示領域を有する液晶ディスプレイ装置等の表示ユニット４９を備えて構成してもよい。
【００６７】
この場合、複数の合成画像が複写機１における表示領域よりも大きな表示領域を有する表示ユニット４９に並列して表示され、複数の合成画像の視認性が高まるため、複写機１における表示領域に複数の合成画像が並列して表示される場合に比して、複数の合成画像間の差異を更に容易に把握することができる。
【００６８】
また、ステップＳ８において、合成画像表示制御部１０４は、ステップＳ７で画像メモリー７に記憶された合成画像Ｖ１１，Ｖ１２を表示部４７３の一画面内に並列して表示するのに代えて、図７（ａ）（ｂ）に示すように、ユーザーによって操作部４７を介して入力された画面の切り替え指示に応じて画面を切り替えて、複数の合成画像Ｖ１１，Ｖ１２を表示部４７３の一画面内に一つずつ表示するように構成してもよい。
【００６９】
本構成によれば、表示部４７３の表示領域が小さく構成されている場合であっても、複数の合成画像が表示部４７３の画面を切り替えて一画面内に一つずつ表示され、各合成画像の視認性が高まるため、複数の合成画像が表示部４７３の一画面内に並列して表示されるときに比して、各合成画像の細部まで把握することができ、複数の合成画像の中から所望の合成画像を適切に選択することができる。
【００７０】
また、図２の点線部に示すように、制御部１０が、テンプレート作成指示受付部１０６、配置情報受付部１０７、及びテンプレート記憶制御部１０８として更に機能するように構成してもよい。
【００７１】
テンプレート作成指示受付部１０６は、制御部１０によって表示部４７３に表示された操作画面に設けられた原稿を読み取った画像を用いてテンプレートを作成することを指示するためのボタンがユーザーによって操作部４７を介して押下されると、テンプレートを作成する指示を受け付ける。
【００７２】
配置情報受付部１０７は、テンプレート作成指示受付部１０６によってテンプレートを作成する指示が受け付けられると、原稿を読み取る指示の入力を促す原稿読取操作画面を表示部４７３に表示して、当該原稿読取操作画面のユーザーによる操作に従って原稿読取部５によって読み取られた原稿の画像と、ユーザーによって当該原稿読取操作画面に入力された当該原稿の画像を識別するための識別情報とを対応付けて、テンプレートにおける背景画像として画像メモリー７に記憶する。そして、配置情報受付部１０７は、当該背景画像に配置対象の原稿の画像を配置する際の配置情報を入力するための操作画面を表示部４７３に表示して、ユーザーによって当該操作画面に入力された配置情報を受け付け、当該受け付けた配置情報をＲＡＭに記憶する。
【００７３】
尚、配置情報は、例えば、配置対象の原稿の画像を配置するための配置領域の形態（例えば、矩形、円形等）、サイズ、及び背景画像の左上端を基準にした相対位置を示す座標情報と、原稿の両面のうち何れの面を読み取った画像を配置領域に配置するかを示す情報と、読み取った各画像を配置する際のサイズと、当該配置領域の左上端を基準にした配置対象の各画像の相対位置を示す座標情報を含んで構成される。ただし、これに限定する趣旨ではない。
【００７４】
テンプレート記憶制御部１０８は、テンプレートにおける背景画像として画像メモリー７に記憶された背景画像と、配置情報受付部１０７によってＲＡＭに記憶された配置情報との組み合わせからなるテンプレートをテンプレート記憶部８１に記憶する。
【００７５】
以下では、上記の構成においてテンプレートを作成してテンプレート記憶部８１に記憶する処理について、図８に示すフローチャートに基づいて説明する。
【００７６】
テンプレート作成指示受付部１０６は、制御部１０によって表示部４７３に表示された操作画面に設けられた原稿を読み取った画像を用いてテンプレートを作成することを指示するためのボタンがユーザーによって操作部４７を介して押下されると、テンプレートを作成する指示を受け付ける（Ｓ２１）。
【００７７】
次に、配置情報受付部１０７は、原稿読取操作画面を表示部４７３に表示し（Ｓ２２）、当該原稿読取操作画面のユーザーによる操作に従って、原稿読取部５による原稿の画像の読み取りと、当該原稿の画像を識別するための識別情報の入力が完了すると（Ｓ２３；ＹＥＳ）、当該読み取られた原稿の画像の画像データ及びユーザーによって入力された識別情報とを対応付けて、テンプレートにおける背景画像として画像メモリー７に記憶する（Ｓ２４）。
【００７８】
次に、配置情報受付部１０７は、当該背景画像に配置対象の原稿の画像を配置する際の配置情報を入力するための操作画面を表示部４７３に表示し（Ｓ２５）、ユーザーによって当該操作画面に配置情報が入力されると、当該入力された配置情報を受け付け（Ｓ２６；ＹＥＳ）、当該受け付けた配置情報をＲＡＭに記憶する（Ｓ２７）。
【００７９】
そして、テンプレート記憶制御部１０８は、テンプレートにおける背景画像として画像メモリー７に記憶された背景画像と、配置情報受付部１０７によってＲＡＭに記憶された配置情報との組み合わせからなるテンプレートをテンプレート記憶部８１に記憶する（Ｓ２８）。
【００８０】
本構成によれば、所望の合成画像を出力可能なテンプレートを新たに作成してテンプレート記憶部８１に記憶することができるため、テンプレート記憶部８１に記憶されている既存のテンプレートを用いて所望の合成画像を出力することができない場合であっても、新たにテンプレートを作成し、当該作成したテンプレートを用いて所望の合成画像を適切に出力することができる。
【００８１】
また、上記の実施形態では、本発明に係る画像形成装置の一例として複写機を示したが、本発明に係る画像形成装置はこれに限定されるものではなく、他の画像形成装置、例えば、ファクシミリ装置、プリンタ、複合機（コピー、ファクシミリ装置、プリンタ等の機能を兼ね備えた画像形成装置）等であってもよい。これに合わせて、合成画像の出力は、上記の実施形態で示した記録紙への印刷出力に限定されるものではなく、ファクシミリ通信するための画像データとして出力する等であってもよい。
【００８２】
また、テンプレート記憶部８１は、外部インターフェイス１１を介して接続された外部の装置に備えられたＨＤＤ等の記憶媒体における記憶領域の一部として構成してもよい。
【００８３】
また、上記図１乃至図８に示した実施形態に係る構成及び処理は、本発明に係る画像形成装置の構成及び処理の一例に過ぎず、本発明に係る画像形成装置の構成及び処理を上記に示した内容に限定するものではない。
【符号の説明】
【００８４】
１      複写機
１０    制御部
１０１  合成対象画像受付部
１０２  テンプレート検索部
１０３  読取操作画面表示制御部
１０４  合成画像表示制御部
１０５  出力対象画像受付部
１０６  テンプレート作成指示受付部
１０７  配置情報受付部
１０８  テンプレート記憶制御部
４７    操作部
４７３  表示部
５      原稿読取部
８１    テンプレート記憶部
９１    合成画像形成部
Ｂ１，Ｂ２                      背景画像
Ｌ１１，Ｌ１２，Ｌ２１，Ｌ２２  配置情報
Ｔ１１，Ｔ１２，Ｔ２１，Ｔ２２  テンプレート
Ｖ１１，Ｖ１２                  合成画像
【図１】
0005453330.tif 000002
【図２】
0005453330.tif 000003
【図３】
0005453330.tif 000004
【図４】
0005453330.tif 000005
【図５】
0005453330.tif 000006
【図６】
0005453330.tif 000007
【図７】
0005453330.tif 000008
【図８】
0005453330.tif 000009